(57)【要約】【課題】低コストで成形可能なハウジング取付構造及びそのハウジング取付構造を備えたハウジング構造並びにそのハウジング構造を備えた電子機器を提供すること。【解決手段】第１のハウジング１０４の両側に設けた係止爪１１と、第２のハウジング１０３の両側に設けた係止爪受けリブ１２とを備え、前記係止爪を前記係止爪受けリブに係止することにより、前記第１のハウジングを前記第２のハウジングに取り付ける。そして、前記係止爪及び前記係止爪受けリブは、成形する際に金型スライド機構が不要な形状に形成されている。これにより、係止爪及び係止爪受けリブの成形用金型を簡易な構成で製作することができるので、係止爪及び係止爪受けリブを低コストで形成することができる。【選択図】図５
2008047742.tif 000002
【特許請求の範囲】
【請求項１】
第１のハウジングの両側に設けた係止爪と、
第２のハウジングの両側に設けた係止爪受けリブとを備え、
前記係止爪を前記係止爪受けリブに係止することにより、前記第１のハウジングを前記第２のハウジングに取り付けるハウジング取付構造であって、
前記係止爪及び前記係止爪受けリブは、成形する際に金型スライド機構が不要な形状に形成されていることを特徴とするハウジング取付構造。
【請求項２】
前記係止爪は、前記第１のハウジングの外側面から突出する平板状に形成され、前記係止爪受けリブは、前記第２のハウジングの内側面から突出する平板状に形成されていることを特徴とする請求項１に記載のハウジング取付構造。
【請求項３】
前記第１のハウジングの前側に設けた位置決め爪と、前記第２のハウジングの前側に設けた位置決め爪受けリブとを備え、前記位置決め爪を前記位置決め爪受けリブに係止することにより、前記第１のハウジングを前記第２のハウジングに位置決めすることを特徴とする請求項１又は２に記載のハウジング取付構造。
【請求項４】
前記位置決め爪は、前記第１のハウジングの下面から突出する平板状に形成され、前記位置決め爪受けリブは、前記第２のハウジングの上面から突出する平板状に形成されていることを特徴とする請求項３に記載のハウジング取付構造。
【請求項５】
前記第２のハウジングは、垂直視断面が略コの字状に形成され、前記第１のハウジングは、平板状に形成されて前記第２のハウジングの上部に取り付けられていることを特徴とする請求項１〜４の何れか一項に記載のハウジング取付構造。
【請求項６】
前記第１及び第２のハウジングと第３のハウジングを備えたハウジング構造であって、
前記第２のハウジングは、前記第３のハウジングの前面側から差し込まれて取り付けられることを特徴とする請求項１〜５の何れか一項に記載のハウジング構造。
【請求項７】
請求項６に記載のハウジング構造を備えたことを特徴とする電子機器。
【発明の詳細な説明】
【技術分野】
【０００１】
本発明は、第１のハウジングの両側に設けた係止爪を、第２のハウジングの両側に設けた係止爪受けリブに係止することにより、第１のハウジングを第２のハウジングに取り付けるハウジング取付構造及びそのハウジング取付構造を備えたハウジング構造並びにそのハウジング構造を備えた電子機器に関する。
【背景技術】
【０００２】
一般的に、電子機器の筐体（ハウジング）に設けられたスイッチの操作部の周囲は、スイッチに関連する表記が施されたカバー（ハウジング）により覆われている。筐体には複数の係合孔が穿孔され、カバーには上記係合孔を貫通する弾性部が突設されている。そして、弾性部の先端には、係合孔の角部に係合する係合部が突設されている。このような構成において、弾性部が係合孔に挿入されて弾性部の係合部が係合孔の角部に係合されることにより、カバーが筐体に取り付けられる（特許文献１参照）。
【０００３】
また、電子機器の下側ケース（ハウジング）は、上側ケース（ハウジング）とスナップフィットにより取り付けられている。このスナップフィットは、下側ケースの内面に形成された突起状の第１係合部と、上側ケースの周縁部に形成された穴を有するアーム状の第２係合部とからなる。このような構成において、第１係合部に第２係合部が嵌め込まれることにより、下側ケースが上側ケースに取り付けられる（特許文献２参照）。
【０００４】
【特許文献１】特開２００４−１１１７７７号公報
【特許文献２】特開２００３−２３９９２０号公報
【発明の開示】
【発明が解決しようとする課題】
【０００５】
上述した前者のハウジングの取付構造は、弾性部の突設方向と係合部の突設方向が略直角となるように形成されているため、その成形用金型はスライド機構が必要となる。更に、係合孔を穿孔しなければならないため、その成形用金型もスライド機構が必要となる。また、後者のハウジングの取付構造は、第２係合部の穴を穿設しなければならないため、その成形用金型はスライド機構が必要となる。以上のように、どちらのハウジングの取付構造も成形用金型はスライド機構が必要となるため、コストの面で不利である。
【０００６】
本発明は、上記のような課題に鑑みなされたものであり、その目的は、低コストで成形可能なハウジング取付構造及びそのハウジング取付構造を備えたハウジング構造並びにそのハウジング構造を備えた電子機器を提供することにある。
【課題を解決するための手段】
【０００７】
上記目的達成のため、本発明のハウジング取付構造では、第１のハウジングの両側に設けた係止爪と、第２のハウジングの両側に設けた係止爪受けリブとを備え、前記係止爪を前記係止爪受けリブに係止することにより、前記第１のハウジングを前記第２のハウジングに取り付けるハウジング取付構造であって、前記係止爪及び前記係止爪受けリブは、成形する際に金型スライド機構が不要な形状に形成されていることを特徴としている。これにより、係止爪及び係止爪受けリブの成形用金型を簡易な構成で製作することができるので、係止爪及び係止爪受けリブを低コストで形成することができる。
【０００８】
また、前記係止爪は、前記第１のハウジングの外側面から突出する平板状に形成され、前記係止爪受けリブは、前記第２のハウジングの内側面から突出する平板状に形成されていることを特徴としている。これにより、係止爪と係止爪受けリブは面接触して大きな力で係止しているので、第２のハウジングに取り付けられた第１のハウジングに生じ易い山状の反りを防止することができる。また、前記第１のハウジングの前側に設けた位置決め爪と、前記第２のハウジングの前側に設けた位置決め爪受けリブとを備え、前記位置決め爪を前記位置決め爪受けリブに係止することにより、前記第１のハウジングを前記第２のハウジングに位置決めすることを特徴としている。これにより、第２のハウジングに対する第１のハウジングの位置決め精度を向上させることができる。
【０００９】
また、前記位置決め爪は、前記第１のハウジングの下面から突出する平板状に形成され、前記位置決め爪受けリブは、前記第２のハウジングの上面から突出する平板状に形成されていることを特徴としている。これにより、第２のハウジングに第１のハウジングを取り付ける際に位置決め爪と位置決め爪受けリブを目視し易く、第２のハウジングに対する第１のハウジングの組立性を向上させることができる。また、前記第２のハウジングは、垂直視断面が略コの字状に形成され、前記第１のハウジングは、平板状に形成されて前記第２のハウジングの上部に取り付けられていることを特徴としている。これにより、第１のハウジングの後端が開放されることになるために生じ易い山状の反りを防止することができる。
【００１０】
上記目的達成のため、本発明のハウジング構造では、前記第１及び第２のハウジングと第３のハウジングを備えたハウジング構造であって、前記第２のハウジングは、前記第３のハウジングの前面側から差し込まれて取り付けられることを特徴としている。また、上記目的達成のため、本発明の電子機器では、上記ハウジング構造を備えたことを特徴としている。これにより、上記各作用効果を奏するハウジング構造又は電子機器を提供することが可能である。
【発明を実施するための最良の形態】
【００１１】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１２】
図１は、本発明の一実施の形態に係るハウジング取付構造を備えた電子機器である記録装置の外観構成の全体を示す斜視図、図２は、図１のハウジング取付構造を備えたハウジング構造を示す分解斜視図である。この記録装置はプリンタ、コピー及びスキャナの機能を有するインクジェット式複合機１００である。このインクジェット式複合機１００は、図１に示すように、全体が略直方体状のハウジング（ハウジング構造）１０１で覆われている。このハウジング１０１が、図２の一点鎖線で囲まれた本発明の特徴的な部分であるハウジング取付構造１０を備えている。そして、図１に示すように、ハウジング１０１の上面における前面側には操作部１１０が配設され、前面における図示左側にはメモリカードスロット部１２０が配設され、前面における図示右側にはディスクスロット部１３０が配設されている。更に、ハウジング１０１の上面における背面側には給紙部１４０が配設され、前面側には排紙部１５０が配設され、上面にはスキャナ１６０が配設されている。
【００１３】
ハウジング１０１は、図１及び図２に示すように、ミドルハウジング（第３のハウジング）１０２、スロットハウジング（第２のハウジング）１０３、パネルハウジング（第１のハウジング）１０４及びオペレーションパネル１０５に分割されている。ミドルハウジング１０２は、図１に示すロワーハウジング１０６上に配設された図示しない記録部や用紙搬送部等を覆うと共に、図１に示すように、前面側に操作部１１０、メモリカードスロット部１２０、ディスクスロット部１３０及び排紙部１５０が配設され、背面側に給紙部１４０が配設され、更に上部にスキャナ１６０が配設される図２に示すような略箱状に形成されている。
【００１４】
スロットハウジング１０３は、図１に示すように、メモリカードスロット部１２０及びディスクスロット部１３０を覆うようにミドルハウジング１０２の前面側から差し込まれて取り付けられる図２に示すような垂直視断面が略コの字状に形成されている。パネルハウジング１０４は、図１に示すように、操作部１１０を覆うようにスロットハウジング１０３の上部に取り付けられる図２に示すような略平板状に形成されている。オペレーションパネル１０５は、図２に示すように、側面がスロットハウジング１０３の縁部に立設されているリブ１０３ｃに当接して位置決めされ、図１に示すように、パネルハウジング１０４を覆うように取り付けられる図２に示すような略平板状に形成されている。そして、スロットハウジング１０３とパネルハウジング１０４が、本実施形態のハウジング取付構造１０により取り付けられている。尚、このハウジング取付構造１０の詳細については後述する。
【００１５】
操作部１１０は、図１に示すように、パネルハウジング１０４の上部中央に操作状態等を表示する液晶ディスプレイユニット１１１が装着されている。そして、この液晶ディスプレイユニット１１１の両側のオペレーションパネル１０５には、パワーをオン・オフするパワー系、用紙の頭出し等を操作したりインクのフラッシング等を操作する操作系、画像処理等を行う処理系等の複数のボタン１１２が配設されている。ユーザは、液晶ディスプレイユニット１１１を見て確認しながら各種のボタン１１２を操作することができるので、誤操作を防止することができる。
【００１６】
メモリカードスロット部１２０は、図１に示すように、図示矢印ａ方向に開閉自在なカバー１２１で覆われている。このメモリカードスロット部１２０は、複数スロット形成され、複数種類のメモリカードに対応可能に構成されている。ユーザは、インクジェット式複合機１００をパーソナルコンピュータに接続しなくても、インクジェット式複合機１００単独の状態でメモリカードスロット部１２０にメモリカードを差し込むのみで、メモリカードに格納されている画像等を記録することができる。
【００１７】
ディスクスロット部１３０は、図１に示すように、ＣＤ−Ｒ（Ｃｏｍｐａｃｔ  Ｄｉｓｋ−Ｒｅｃｏｒｄａｂｌｅ）等の読み書き可能なディスクやＤＶＤ−ＲＯＭ（Ｄｉｇｉｔａｌ  Ｖｅｒｓａｔｉｌｅ  Ｄｉｓｋ−Ｒｅａｄ  Ｏｎｌｙ  Ｍｅｍｏｒｙ）等の読み出し可能なディスクに対応可能に構成されている。ユーザは、インクジェット式複合機１００をパーソナルコンピュータに接続しなくても、インクジェット式複合機１００単独の状態でディスクスロット部１３０にディスクを差し込むのみで、ディスクに書き込まれている画像等を記録し、若しくはメモリカードに書き込まれている画像等をディスクに転送して書き込むことができる。
【００１８】
給紙部１４０は、図１に示すように、上方に向かって矩形状に開口した給紙口１４１に伸縮自在に設けられ、給紙する用紙を１枚もしくは複数枚サポートする機能を有する多段のペーパーサポート１４２を備えている。ユーザは、インクジェット式複合機１００を使用するときは、ペーパーサポート１４２の先端に指を掛けてペーパーサポート１４２を伸張することができるので、用紙のセッティングを容易に行うことができる。また、インクジェット式複合機１００を不使用のときは、ペーパーサポート１４２の先端を指で押して収縮させることができるので、ペーパーサポート１４２をコンパクトに収納することができる。
【００１９】
排紙部１５０は、図１に示すように、前方に向かって矩形状に開口した排紙口１５１を開閉する機能と、排紙される用紙を１枚もしくは複数枚スタックする機能を併せ持ったスタッカ１５２を備えている。このスタッカ１５２は、下端の回転軸を中心に図示矢印ｂ方向に回動可能に取り付けられている。ユーザは、インクジェット式複合機１００を使用又は不使用のときは、スタッカ１５２の上部に指を掛けてスタッカ１５２を開閉することができるので、セッティングを容易に行うことができ、また排紙口１５１内への埃の侵入を防止することができる。更に、記録後の用紙は常に前面側から排紙されるので、ユーザは用紙を容易に取り出すことができる。次に、本発明の特徴的な部分であるハウジング取付構造１０について、更に図を参照して説明する。
【００２０】
図３は、パネルハウジング１０４側のハウジング取付構造１０を示す斜視図、図４は、スロットハウジング１０３側のハウジング取付構造１０を示す斜視図、図５は、それらの取付状態を示す斜視図である。図３に示すように、パネルハウジング１０４側のハウジング取付構造１０は、パネルハウジング１０４の両側に係止爪１１として形成されている。また、図４に示すように、スロットハウジング１０３側のハウジング取付構造１０は、スロットハウジング１０３の両側に係止爪受けリブ１２として形成されている。
【００２１】
係止爪１１は、パネルハウジング１０４の側面１０４ａに対し外側垂直方向に突出する平板状に形成されている。このような構成によれば、パネルハウジング１０４の係止爪１１の部分を射出成形する際の射出成形金型は、図３の拡大図に示す矢印ａ方向、即ち係止爪１１の面に対し垂直方向に抜く金型とすれば良く、従来のようにスライド機構を有する金型とする必要が無い。従って、当該射出成形金型は簡易な構成となるので低コストで製作することができ、係止爪１１を有するパネルハウジング１０４も低コストで成形することができる。
【００２２】
係止爪受けリブ１２は、スロットハウジング１０３の側面１０３ａに対し内側垂直方向に突出する平板状に形成されている。即ち、係止爪受けリブ１２は、スロットハウジング１０３にパネルハウジング１０４が取り付けられるとき、係止爪１１が係止爪受けリブ１２の下部に当接して係止可能となる位置に形成されている。このような構成によれば、スロットハウジング１０３の係止爪受けリブ１２の部分を射出成形する際の射出成形金型は、図４の拡大図に示す矢印ｂ方向、即ち係止爪受けリブ１２の面に対し平行方向に抜く金型とすれば良く、従来のようにスライド機構を有する金型とする必要が無い。従って、当該射出成形金型は簡易な構成となるので低コストで製作することができ、係止爪受けリブ１２を有するスロットハウジング１０３も低コストで成形することができる。
【００２３】
図６は、パネルハウジング１０４側の別のハウジング取付構造１０を示す斜視図、図７は、スロットハウジング１０３側の別のハウジング取付構造１０を示す斜視図、図８は、それらの取付状態を示す斜視図である。尚、図６及び図７は、パネルハウジング１０４及びスロットハウジング１０３の一方側のみを示しているが、他方側も同一構成となっている。図６に示すように、パネルハウジング１０４側の別のハウジング取付構造１０は、パネルハウジング１０４の前側に位置決め爪１３として形成されている。また、図７に示すように、スロットハウジング１０３側の別のハウジング取付構造１０は、スロットハウジング１０３の前側に位置決め爪受けリブ１４として形成されている。
【００２４】
位置決め爪１３は、スロットハウジング１０３に傾斜して取り付けられるパネルハウジング１０４の前側縁部１０４ｂに対し垂直下方向に突出する平板状に形成されている。位置決め爪受けリブ１４は、スロットハウジング１０３の前側上縁部１０３ｂに対し垂直上方向に突出する平板状に形成されている。即ち、位置決め爪受けリブ１４は、スロットハウジング１０３にパネルハウジング１０４が取り付けられるとき、位置決め爪１３が位置決め爪受けリブ１４の前部に当接して位置決め可能となる位置に形成されている。尚、位置決め爪受けリブ１４は、強度確保のために両側に補強リブ１４ａが一体化されて上面視コの字状に形成されているため、位置決め爪１３は、補強リブ１４ａと干渉しないように両側に切り込み部１３ａが形成されている。このような構成によれば、スロットハウジング１０３にパネルハウジング１０４を取り付ける際に位置決め爪１３と位置決め爪受けリブ１４を目視することが可能となるので、スロットハウジング１０３に対するパネルハウジング１０４の組立性を向上させることができる。
【００２５】
以上のような構成において、スロットハウジング１０３にパネルハウジング１０４を取り付ける際の手順について説明する。パネルハウジング１０４をスロットハウジング１０３の上方（高さ方向）に持って行き、パネルハウジング１０４の両側の係止爪１１をスロットハウジング１０３の両側の係止爪受けリブ１２に合わせると共に、パネルハウジング１０４の前側の位置決め爪１３をスロットハウジング１０３の前側の位置決め爪受けリブ１４に合わせる。そして、パネルハウジング１０４を押下することにより、係止爪１１を係止爪受けリブ１２に対し押圧してスロットハウジング１０３を両外側に撓ませ、係止爪受けリブ１２を乗り越えさせる。これにより、スロットハウジング１０３は復元するので、図５に示すように、係止爪１１の上面と係止爪受けリブ１２の下面を当接させて係止することができる。同時に、図８に示すように、位置決め爪１３の背面を位置決め爪受けリブ１４の前面に当接させて位置決めすることができる。
【００２６】
以上により、スロットハウジング１０３にパネルハウジング１０４を取り付けることができる。このとき、係止爪１１と係止爪受けリブ１２は面接触して大きな力で係止しているので、スロットハウジング１０３に取り付けられたパネルハウジング１０４の長手方向に生じ易い山状の反りを防止することができる。特に、垂直視断面が略コの字状のスロットハウジング１０３に取り付けられたパネルハウジング１０４は、後端が開放されることになるために山状の反りが生じ易いが、その反りを防止することができる。また、位置決め爪１３と位置決め爪受けリブ１４も面接触して大きな力で当接しているので、パネルハウジング１０４に対するスロットハウジング１０３の位置決め精度を高精度な状態で長期に亘って維持することができる。
【００２７】
尚、上述した実施形態では、係止爪１１と係止爪受けリブ１２は、パネルハウジング１０４とスロットハウジング１０３の両側にそれぞれ１箇所設けたが、これに限定されるものでは無く、任意の数設けても良い。また、位置決め爪１３と位置決め爪受けリブ１４は、パネルハウジング１０４とスロットハウジング１０３の前側に２箇所設けたが、これに限定されるものでは無く、任意の数設けても良い。
【産業上の利用可能性】
【００２８】
ハウジング構造を備えた記録装置であれば、例えばファクシミリ装置、コピー装置、スキャナ等であっても適用可能である。また、記録装置に限らず、パネル構造を備えた一般的な電子装置にも適用可能である。
【図面の簡単な説明】
【００２９】
【図１】本発明の一実施の形態に係るハウジング取付構造を備えた電子機器である記録装置の外観構成の全体を示す斜視図である。
【図２】図１のハウジング取付構造を備えたハウジング構造を示す分解斜視図である。
【図３】図１のパネルハウジング側のハウジング取付構造を示す斜視図である。
【図４】図１のスロットハウジング側のハウジング取付構造を示す斜視図である。
【図５】図３と図４のハウジング取付構造の取付状態を示す斜視図である。
【図６】図１のパネルハウジング側の別のハウジング取付構造を示す斜視図である。
【図７】図１のスロットハウジング側の別のハウジング取付構造を示す斜視図である。
【図８】図６と図７のハウジング取付構造の取付状態を示す斜視図である。
【符号の説明】
【００３０】
１０  ハウジング取付構造、１１  係止爪、１２  係止爪受けリブ、１３  位置決め爪、１４  位置決め爪受けリブ、１００  インクジェット式複合機、１０１  ハウジング、１０２  ミドルハウジング、１０３  スロットハウジング、１０４  パネルハウジング、１０５  オペレーションパネル、１１０  操作部、１２０  メモリカードスロット部、１３０  ディスクスロット部、１４０  給紙部、１５０  排紙部
【図１】
2008047742.tif 000003
【図２】
2008047742.tif 000004
【図３】
2008047742.tif 000005
【図４】
2008047742.tif 000006
【図５】
2008047742.tif 000007
【図６】
2008047742.tif 000008
【図７】
2008047742.tif 000009
【図８】
2008047742.tif 000010